【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
通信相手装置との間で第１の無線通信方式により通信を行う第１の通信手段と、
前記通信相手装置との間で第２の無線通信方式により通信を行う第２の通信手段と、
前記通信相手装置に所定のデータを提供するための提供方法を、少なくとも前記所定のデータの保存場所または前記通信相手装置の外部装置と通信するためのネットワークへの接続状態の何れか一つに基づいて決定する決定手段と、
前記決定手段による決定に応じて、前記第１の通信手段を用いて所定のデータを前記外部装置から取得するための情報を前記通信相手装置に提供するか、前記第２の通信手段を用いて前記所定のデータを前記通信相手装置に提供するための通信を行うかを、制御する制御手段とを有することを特徴とする通信装置。
【請求項２】
前記決定手段は、前記第１の通信手段による通信に基づいて、決定を行うことを特徴とする請求項１に記載の通信装置。
【請求項３】
前記決定手段は、前記通信相手装置が前記外部装置と通信する権限があるかに基づいて、決定を行うことを特徴とする請求項１または２に記載の通信装置。
【請求項４】
前記所定のデータを複数のデータから選択する選択手段とを更に有することを特徴とする請求項１乃至３の何れか１項に記載の通信装置。
【請求項５】
前記選択手段は、前記通信相手装置との間で前記第１の通信手段による通信が可能となったことの検出に応じて、前記通信装置が表示部に表示させているデータを前記所定のデータとして選択することを特徴とする請求項４に記載の通信装置。
【請求項６】
前記第１の通信手段を用いて、前記通信相手装置との間で第２の無線通信方式により通信を行うための処理を行う処理手段とを更に有することを特徴とする請求項１乃至５の何れか１項に記載の通信装置。
【請求項７】
前記第２の無線通信方式により前記所定のデータを前記通信相手装置と通信する場合、前記通信相手装置に、前記第２の通信手段による通信の開始を前記第１の通信手段を用いて要求することを特徴とする請求項１乃至６の何れか１項に記載の通信装置。
【請求項８】
前記所定のデータを前記外部装置から取得するための前記情報は、ＵＲＬであることを特徴とする請求項１乃至７の何れか１項に記載の通信装置。
【請求項９】
前記処理手段は、前記第２の通信手段により通信するための通信パラメータを前記通信相手装置と共有するための処理を行うことを特徴とする請求項６に記載の通信装置。
【請求項１０】
前記決定手段は、前記外部装置との通信にユーザ認証処理が必要か否かに基づいて、決定を行うことを特徴とする請求項１乃至９の何れか１項に記載の通信装置。
【請求項１１】
前記決定手段は、前記通信相手装置と前記外部装置と間の通信に係る課金方法に基づいて、決定を行うことを特徴とする請求項１乃至１０の何れか１項に記載の通信装置。
【請求項１２】
前記決定手段は、前記通信相手装置が他の装置に公衆無線通信網を用いた通信を利用させるための機能に対応しているか否かに基づいて、決定を行うことを特徴とする請求項１乃至１１の何れか１項に記載の通信装置。
【請求項１３】
前記決定手段は、前記所定のデータが有料コンテンツか否かに基づいて、決定を行うことを特徴とする請求項１乃至１２の何れか１項に記載の通信装置。
【請求項１４】
前記選択手段は、表示された複数のデータからユーザ操作に基づいて選択されたデータを、前記所定のデータとして選択することを特徴とする請求項４に記載の通信装置。
【請求項１５】
前記複数のデータは、前記通信相手装置が前記外部装置と通信可能な状態である場合、前記通信装置が記憶しておらず、前記外部装置が管理しているデータを含むことを特徴とする請求項４に記載の通信装置。
【請求項１６】
通信相手装置との間で第１の無線通信方式により通信を行う第１の通信手段と、
前記通信相手装置との間で第２の無線通信方式により通信を行う第２の通信手段と、
前記通信相手装置から前記第１の通信手段を用いて所定のデータに関する情報を受信する受信手段と、
前記受信手段が受信した前記所定のデータを前記外部装置から取得するための情報に基づいて、前記所定のデータを前記外部装置から取得する第１の取得手段と、
前記第２の通信手段を用いて前記通信相手装置から前記所定のデータを取得する第２の取得手段と、
前記所定のデータの取得方法を決定する決定手段と、を有し、
前記決定手段による決定に応じて、少なくとも前記第１の取得手段または前記第２の取得手段の少なくも何れか一方を用いて前記所定のデータを取得することを特徴とする通信装置。
【請求項１７】
通信相手装置との間で第１の無線通信方式により通信を行う第１の通信手段と、
前記通信相手装置との間で第２の無線通信方式により通信を行う第２の通信手段と
前記通信相手装置に提供する所定のデータの保存場所または前記通信相手装置の外部装置と通信するためのネットワークへの接続状態の何れか一つに基づいて、前記第１の通信手段を用いて所定のデータを外部装置から取得するための情報を前記通信相手装置に提供するか、前記第１の通信手段を用いて前記通信相手装置との間で第２の無線通信方式により通信を行うための処理を行うかを、制御する制御手段とを有することを特徴とする通信装置。
【請求項１８】
通信相手装置との間で第１の無線通信方式により通信を行う第１の通信手段と、
前記通信相手装置との間で第２の無線通信方式により通信を行う第２の通信手段と
前記通信相手装置に提供する所定のデータの属性に基づいて、前記第１の通信手段を用いて所定のデータを外部装置から取得するための情報を前記通信相手装置に提供するか、前記第１の通信手段を用いて前記通信相手装置との間で第２の無線通信方式により通信を行うための処理を行うかを、制御する制御手段とを有することを特徴とする通信装置。
【請求項１９】
通信相手装置との間で第１の無線通信方式により通信を行う第１の通信手段と、前記通信相手装置との間で第２の無線通信方式により通信を行う第２の通信手段と、を有する通信装置の制御方法であって、
前記通信相手装置に所定のデータを提供するための提供方法を、少なくとも前記所定のデータの保存場所または前記通信相手装置の外部装置と通信するためのネットワークへの接続状態の何れか一つに基づいて決定する決定工程と、
前記決定工程における決定に応じて、前記第１の通信手段を用いて所定のデータを前記外部装置から取得するための情報を前記通信相手装置に提供するか、前記第２の通信手段を用いて前記所定のデータを前記通信相手装置に提供するための通信を行うかを、制御する制御工程とを有することを特徴とする通信装置の制御方法。
【請求項２０】
通信相手装置との間で第１の無線通信方式により通信を行う第１の通信手段と、前記通信相手装置との間で第２の無線通信方式により通信を行う第２の通信手段と、を有する通信装置の制御方法であって、
前記通信相手装置から前記第１の通信手段を用いて所定のデータを外部装置から取得するための情報に基づいて、前記所定のデータを前記外部装置から取得する第１の取得工程と、
前記第２の通信手段を用いて前記通信相手装置から前記所定のデータを取得する第２の取得工程と、
前記所定のデータの取得方法を決定する決定工程と、を有し、
前記決定工程における決定に応じて、少なくとも前記第１の取得工程または前記第２の取得工程の少なくも何れか一方を用いて前記所定のデータを取得することを特徴とする通信装置の制御方法。
【請求項２１】
通信相手装置との間で第１の無線通信方式により通信を行う第１の通信手段と、前記通信相手装置との間で第２の無線通信方式により通信を行う第２の通信手段と、を有する通信装置の制御方法であって、
前記通信相手装置に提供する所定のデータの保存場所または前記通信相手装置の外部装置と通信するためのネットワークへの接続状態の何れか一つに基づいて、前記第１の通信手段を用いて所定のデータを外部装置から取得するための情報を前記通信相手装置に提供するか、前記第１の通信手段を用いて前記通信相手装置との間で第２の無線通信方式により通信を行うための処理を行うかを、制御する制御工程とを有することを特徴とする通信装置の制御方法。
【請求項２２】
通信相手装置との間で第１の無線通信方式により通信を行う第１の通信手段と、前記通信相手装置との間で第２の無線通信方式により通信を行う第２の通信手段と、を有する通信装置の制御方法であって、
前記通信相手装置に提供する所定のデータの属性に基づいて、前記第１の通信手段を用いて所定のデータを外部装置から取得するための情報を前記通信相手装置に提供するか、前記第１の通信手段を用いて前記通信相手装置との間で第２の無線通信方式により通信を行うための処理を行うかを、制御する制御工程とを有することを特徴とする通信装置の制御方法。
【請求項２３】
コンピュータを請求項１乃至１８何れか１項に記載の通信装置の各手段として機能させるためのプログラム。
【請求項２４】
通信装置であって、
通信相手装置がインターネットに接続中であるか否かを示す情報と、近接無線通信である第１の無線通信方式とは異なる第２の無線通信方式にハンドオーバするための情報とを、前記第１の無線通信方式により前記通信相手装置と通信する第１通信手段と、
前記第１通信手段により通信された前記通信相手装置がインターネットに接続中であるか否かを示す情報に基づいて、コンテンツを通信するために前記第２の無線通信方式を用いるか否かを決定する決定手段と、
前記決定手段により前記第２の無線通信方式を用いることが決定された場合、前記第１通信手段により通信された前記第２の無線通信方式にハンドオーバするための情報に基づいて、前記コンテンツを前記第２の無線通信方式を用いて通信する第２通信手段と、を有することを特徴とする通信装置。
【請求項２５】
前記第１の無線通信方式は、ＮＦＣ（Ｎｅａｒ  Ｆｉｅｌｄ  Ｃｏｍｍｕｎｃａｔｉｏｎ）であることを特徴とする請求項１乃至１８、２４の何れか１項に記載の通信装置。
【請求項２６】
前記第２の無線通信方式は、前記第１の無線通信方式より通信速度が速いまたは前記第１の無線通信方式より通信範囲が広い通信方式であることを特徴とする請求項１乃至１８、２４、２５の何れか１項に記載の通信装置。
【請求項２７】
前記第２の無線通信方式は、ＩＥＥＥ８０２．１１シリーズまたはＢｌｕｅｔｏｏｔｈ（登録商標）であることを特徴とする請求項１乃至１８、２４、２５、２６の何れか１項に記載の通信装置。